(57)【要約】【課題】電線を容易に組付けでき、電線の配索作業性の向上を図ることができるワイヤハーネス用プロテクタを提供する。【解決手段】底壁部２１と底壁部２１の両側より立設された側壁部２２で囲まれた電線収容路２３を有し、側壁部２２の内面２２ａが上方に向かって電線収容路２３の幅を広げる方向に傾斜する傾斜面に形成されたプロテクタ本体２と、カバー上壁部３１とカバー上壁部３１の両側より立設されたカバー側壁部３２を有するカバー本体部３０を設けたカバー３とを備え、電線４が配索されたプロテクタ本体２の電線収容路２３に上方よりカバー３のカバー本体部３０を挿入し、カバー３で電線収容路２３を覆うようにした。【選択図】図８
2013162642.tif 000002
【特許請求の範囲】
【請求項１】
底壁部と前記底壁部の両側より立設された側壁部で囲まれた電線収容路を有し、
前記側壁部の内面が上方に向かって前記電線収容路の幅を広げる方向に傾斜する傾斜面に形成されたプロテクタ本体と、
カバー上壁部と前記カバー上壁部の両側より立設されたカバー側壁部を有するカバー本体部を設けたカバーとを備え、
電線が配索されたプロテクタ本体の前記電線収容路に上方より前記カバーの前記カバー本体部を挿入し、前記カバーが前記電線収容路を覆ったことを特徴するワイヤハーネス用プロテクタ。
【請求項２】
請求項１に記載のワイヤハーネス用プロテクタであって、
前記プロテクタ本体は、前記電線収容路の外側に設けられたフランジ部を有し、
前記カバーは、前記カバー本体部の外側位置に設けられたフランジ部を有し、
前記プロテクタ本体と前記カバーの組み付け状態では、互いの前記フランジ部が重なり合って配置され、前記複数の重なり合った前記フランジ部の貫通穴に締結部品を挿入して固定部材に固定したことを特徴とするワイヤハーネス用プロテクタ。
【請求項３】
請求項１又は２に記載のワイヤハーネス用プロテクタであって、
前記カバーは、カバー上壁部と前記カバー上壁部の両側より立設されたカバー側壁部の内部が上段の電線収容路とされ、
前記カバーが複数枚積層されることによって、複数段の前記電線収容路が形成されたことを特徴とするワイヤハーネス用プロテクタ。
【請求項４】
請求項１〜請求項３のいずれかに記載のワイヤハーネス用プロテクタであって、
前記プロテクタ本体と前記カバーのいずれか一方は、下方に突出し、且つ、径方向に突出可能な筒状の突起部と、前記突起部内に上方より挿入され、挿入位置が仮係止位置では前記突起部を径方向に押圧せずに仮係止され、挿入位置が本係止位置では前記突起部を径方向に押圧するクリップとを備えたことを特徴とするワイヤハーネス用プロテクタ。
【発明の詳細な説明】
【技術分野】
【０００１】
本発明は、車両などに配設されるワイヤハーネスの保持及び保護を行なうワイヤハーネス用プロテクタに関する。
【背景技術】
【０００２】
従来より、車両などに配設されるワイヤハーネスの保持及び保護を行なうワイヤハーネス用プロテクタが種々提案されている（例えば、特許文献１、２参照）。
【０００３】
この種のワイヤハーネス用プロテクタの一従来例として図２０及び図２１に示すものがある。このワイヤハーネス用プロテクタは、電線１０１を収容する収容溝１０２を有するプロテクタ本体１０３と、プロテクタ本体１０３の上部に嵌め込まれる蓋体１０４とを備えている。蓋体１０４は、下方に突出する複数の爪部１０５を備え、プロテクタ本体１０３は、爪部１０５が係止される係止部１０６を備えている。
【０００４】
上記構成では、プロテクタ本体１０３の収容溝１０２に電線１０１を収容した後、プロテクタ本体１０３の上部に蓋体１０４を装着すると、蓋体１０４の爪部１０５がプロテクタ本体１０３の係止部１０６にそれぞれ係止されるので、蓋体１０４がプロテクタ本体１０３に固定される。
【先行技術文献】
【特許文献】
【０００５】
【特許文献１】特開平８−３１７５２９号公報
【特許文献２】特開２００５−１４６４３号公報
【発明の概要】
【発明が解決しようとする課題】
【０００６】
しかしながら、上記従来例では、複数の電線１０１を収容する収容溝１０２の両側の側壁部１０７が垂直に立設されているため、複数の電線１０１を収容溝１０２内に収容することが難しい場合があり、電線１０１の配索作業性が劣るという問題があった。例えば、複数の電線１０１の幅が収容溝１０２の幅寸法とほぼ同じ場合には、電線１０１を収容溝１０２に挿入する際に電線１０１が側壁部１０７に干渉し、スムーズに収容できない。
【０００７】
そこで、本発明は、前記した課題を解決すべくなされたものであり、電線を容易に配索することができるワイヤハーネス用プロテクタを提供することを目的とする。
【課題を解決するための手段】
【０００８】
本発明は、底壁部と前記底壁部の両側より立設された側壁部で囲まれた電線収容路を有し、前記側壁部の内面が上方に向かって前記電線収容路の幅を広げる方向に傾斜する傾斜面に形成されたプロテクタ本体と、カバー上壁部と前記カバー上壁部の両側より立設されたカバー側壁部とを有するカバー本体部を設けたカバーとを備え、電線が配索されたプロテクタ本体の前記電線収容路に上方より前記カバーの前記カバー本体部を挿入し、前記カバーが前記電線収容路を覆ったことを特徴する。
【０００９】
前記プロテクタ本体は、前記電線収容路の外側に設けられたフランジ部を有し、前記カバーは、前記カバー本体部の外側位置に設けられたフランジ部を有し、前記プロテクタ本体と前記カバーの組み付け状態では、互いの前記フランジ部が重なり合って配置され、前記複数の重なり合った前記フランジ部の貫通穴に締結部品を挿入して固定部材に固定することが好ましい。
【００１０】
前記カバーは、カバー上壁部と前記カバー上壁部の両側より立設されたカバー側壁部の内部が上段の電線収容路とされ、前記カバーが複数枚積層されることによって、複数段の前記電線収容路が形成されることが好ましい。
【００１１】
前記プロテクタ本体と前記カバーのいずれか一方は、下方に突出し、且つ、径方向に突出可能な筒状の突起部と、前記突起部内に上方より挿入され、挿入位置が仮係止位置では前記突起部を径方向に押圧せずに仮係止され、挿入位置が本係止位置では前記突起部を径方向に押圧するクリップとを備えることが好ましい。
【発明の効果】
【００１２】
本発明によれば、プロテクタ本体の底壁部と底壁部の両側より立設された側壁部で囲まれた電線収容路に電線を配索する際、側壁部の内面が上方に向かって電線収容路の幅を広げる方向に傾斜しているので、電線収容路の上方から電線収容路へ容易に電線を配索することができ、電線の配索作業性の向上を図ることができる。
【図面の簡単な説明】
【００１３】
【図１】本発明の第１実施形態を示し、プロテクタ本体の平面図である。
【図２】本発明の第１実施形態を示し、プロテクタ本体の正面図である。
【図３】本発明の第１実施形態を示し、プロテクタ本体の側面図である。
【図４】本発明の第１実施形態を示し、プロテクタ本体にワイヤハーネスを組み込んだ状態を示す斜視図である。
【図５】本発明の第１実施形態を示し、カバーを斜め上方から見た斜視図である。
【図６】本発明の第１実施形態を示し、カバーの側面図である。
【図７】本発明の第１実施形態を示し、プロテクタ本体にカバーを組み込む工程を説明する斜視図である。
【図８】本発明の第１実施形態を示し、（ａ）はワイヤハーネス用プロテクタの組立斜視図、（ｂ）は図８（ａ）のＢ−Ｂ線に沿う断面図である。
【図９】本発明の第１実施形態を示し、真空成形工法を説明する図で、（ａ）はシート加熱工程、（ｂ）はシート成形前の状態、（ｃ）はシート成形後の状態、（ｄ）は離型工程、（ｅ）は加工工程、（ｆ）は完成品をそれぞれ示す図である。
【図１０】本発明の第１実施形態を示し、熱プレス成形工法を説明する図で、（ａ）はシート加熱工程、（ｂ）はシート成形前の状態、（ｃ）はシート成形後の状態、（ｄ）は離型工程、（ｅ）は加工工程、（ｆ）は完成品をそれぞれ示す図である。
【図１１】本発明の第２実施形態を示し、プロテクタ本体上にカバーを組み込む工程を説明する斜視図である。
【図１２】本発明の第２実施形態を示し、プロテクタ本体及びカバー上に他のカバーを組み込む工程を説明する斜視図である。
【図１３】本発明の第２実施形態を示し、プロテクタ本体及びカバー及び他のカバー上に蓋部材を組み込む工程を説明する斜視図である。
【図１４】本発明の第２実施形態を示し、ワイヤハーネス用プロテクタの組立斜視図である。
【図１５】本発明の第３実施形態を示し、（ａ）は突部側から見たクリップの斜視図、（ｂ）は天板側から見たクリップの斜視図である。
【図１６】本発明の第３実施形態を示し、突起部の斜視図である。
【図１７】本発明の第３実施形態を示し、突起部の平面図である。
【図１８】本発明の第３実施形態を示し、図１７のＡ−Ａ線に沿う断面図である。
【図１９】本発明の第３実施形態を示し、プロテクタ本体を車体に固定する手順を説明する図で、（ａ）はクリップをプロテクタ本体の突起部に挿入する前の状態、（ｂ）はクリップをプロテクタ本体に仮止めした状態、（ｃ）はプロテクタ本体を車体上に配置した状態、（ｄ）はプロテクタ本体を車体に固定した状態をそれぞれ示す図である。
【図２０】従来例を示し、ワイヤハーネス用プロテクタの分解斜視図である。
【図２１】従来例を示し、ワイヤハーネス用プロテクタの組立斜視図である。
【発明を実施するための形態】
【００１４】
以下、本発明の実施形態を図面に基づいて説明する。
【００１５】
（第１実施形態）
図１〜図１０は本発明の第１実施形態を示す。図８に示すように、ワイヤハーネス用プロテクタ１は、樹脂製のプロテクタ本体２と、プロテクタ本体２の上部に重ね合わされる樹脂製のカバー３とを備えている。
【００１６】
プロテクタ本体２は、底壁部２１と底壁部２１の両側より立設された側壁部２２で囲まれた電線収容路２３を有し、側壁部２２の内面２２ａは、上方に向かって電線収容路２３の幅を広げる方向に傾斜する傾斜面に形成されている。例えば、側壁部２２の内面２２ａは１〜２度の勾配Ａを有する。プロテクタ本体２は、電線４を収容する電線収容路２３の外側に設けられたフランジ部２４を有する。
【００１７】
カバー３は、カバー上壁部３１とカバー上壁部３１の両側より立設されたカバー側壁部３２を設けたカバー本体部３０を有する。カバー側壁部３２は、中空状に形成されて下向きに開口し、カバー側壁部３２の下方からカバー側壁部３２内にプロテクタ本体２の側壁部２２を嵌め込み可能である。
【００１８】
また、カバー３は、カバー本体部３０の外側位置に設けられたフランジ部３４を有する。プロテクタ本体２とカバー３の組み付け状態では、互いのフランジ部２４，３４が重なり合って配置されるので、これらの重なり合ったフランジ部２４，３４の貫通穴２５，３５に締結部品（図示せず）を挿入して固定部材（図示せず）に固定する。
【００１９】
プロテクタ本体２は、例えば、樹脂シート５を用いて図９に示す真空成形工法により成形される。図９では、完成品の形態は、プロテクタ本体２の形態とは異なるが、このような成形手順でプロテクタ本体２を成形することができる。
【００２０】
すなわち、図９（ａ）に示すシート加熱工程で、シート５の上下に配置される一対のヒータ５１によりシート５を加熱し、図９（ｂ）に示すように、シート５の下方に配置される型５２によりシート５を押圧し、図９（ｃ）に示す真空吸引工程で、型５２により押圧した状態でシート５を吸引することにより所望の形状に成形する。次いで、図９（ｄ）に示すように、シート５から型５２を離脱させて、図９（ｅ）に示す加工工程で、シート５を破線Ｌで示す箇所で切断加工して、図９（ｆ）に示すように、完成品であるプロテクタ本体２を成形できる。尚、カバー３も同様の工法で成形される。
【００２１】
また、プロテクタ本体２は、樹脂シート５を用いて図１０に示す熱プレス成形工法によっても成形可能である。図１０でも、完成品の形態は、プロテクタ本体２の形態とは異なるが、このような成形手順でプロテクタ本体２を成形することができる。
【００２２】
すなわち、図１０（ａ）に示すシート加熱工程で、シート５の上下に配置される一対のヒータ５１によりシート５を加熱し、図１０（ｂ）に示すように、シート５の上下に一対の型５３，５４を配置し、図１０（ｃ）に示すプレス工程で、一対の型５３，５４によりシート５を押圧することにより所望の形状に成形する。次いで、図１０（ｄ）に示すように、シート５から型５３，５４を離脱させて、図１０（ｅ）に示す加工工程で、シート５を破線Ｌで示す箇所で切断加工して、図１０（ｆ）に示すように、完成品であるプロテクタ本体２を成形できる。尚、カバー３も同様の工法で成形される。
【００２３】
上記構成では、図１〜図３に示すように成形したプロテクタ本体２をワイヤハーネス治具板（図示せず）に固定して、図４に示すように、プロテクタ本体２の電線収容路２３に電線４を配索する。次いで、図７に示すように、プロテクタ本体２上にカバー３を配置して、図８に示すように、プロテクタ本体２の側壁部２２をカバー３の側壁部３２内に嵌め込みながら、プロテクタ本体２上にカバー３を重ね合わせる。このようにして電線４が配索されたプロテクタ本体２の電線収容路２３に上方よりカバー３のカバー本体部３０を挿入することにより、カバー３で電線収容路２３が覆われる。
【００２４】
次いで、プロテクタ本体２とカバー３を組み付けた状態では、互いのフランジ部２４，３４が重なり合って配置されるので、これらの重なり合ったフランジ部２４，３４の貫通穴２５，３５に締結部品（図示せず）を挿入して固定部材（図示せず）に固定する。尚、前記締結部品として、ボルトやクランプ等の別体部品や、車体に溶接されたボルト等が用いられる。
【００２５】
以上説明したように、本実施形態では、プロテクタ本体２の電線収容路２３に電線４を配索する際、電線収容路２３が底壁部２１と底壁部２１の両側より立設された側壁部２２で囲まれ、この側壁部２２の内面２２ａが上方に向かって電線収容路２３の幅を広げる方向に傾斜しているので、電線収容路２３の上方から電線収容路２３へ容易に電線４を配索することができ、電線４の配索作業性の向上を図ることができる。
【００２６】
この第１実施形態では、プロテクタ本体２とカバー３の固定手段が電線収容路２３，３３の外側に位置するフランジ部２４，３４にあるため、カバー３の合わせ面での電線４の噛み込みによる断線の恐れがなく、配索した電線４の品質向上を図ることができる。
【００２７】
（第２実施形態）
図１１〜図１４は本発明の第２実施形態を示す。前述の第１実施形態に対して、第２実施形態のワイヤハーネス用プロテクタ１Ａの大きく異なる点は、図１１〜図１４に示すように、第１のカバー３と第２のカバー６と第３のカバー７の３つのカバーを備えている点である。
【００２８】
第１のカバー３は、前記第１実施形態のものと同一構成であり、カバー上壁部３１とカバー上壁部３１の両側より立設されたカバー側壁部３２の内部が上段の電線収容路３３とされる。
【００２９】
尚、第２実施形態において第１実施形態と同様の構成には同一符号が付されている。
【００３０】
電線４は、階層別サブワイヤの区分に応じて、順次積層されるプロテクタ本体２、カバー３及び他のカバー６に配索される。
【００３１】
第２のカバー６は、第１のカバー３と同様に構成される。すなわち、第２のカバー６は、カバー上壁部６１とカバー上壁部６１の両側より立設されたカバー側壁部６２の内部が上段の電線収容路６３とされる。カバー側壁部６２は、中空状に形成されて下向きに開口し、カバー側壁部６２の下方からカバー側壁部６２内にカバー３のカバー側壁部３２を嵌め込み可能である。カバー側壁部６２の内面６２ａは、上方に向かって電線収容路６３の幅を広げる方向に傾斜する傾斜面に形成されている。例えば、側壁部６２の内面６２ａは１〜２度の勾配Ａを有する。また、第２のカバー６は、電線収容路６３の外側位置に設けられたフランジ部６４を有し、このフランジ部６４に貫通穴６５が設けられている。
【００３２】
第３のカバー７は、第１のカバー３と同様に、外側位置に設けられたフランジ部７４を有し、このフランジ部７４に貫通穴７５が設けられている。
【００３３】
上記構成では、プロテクタ本体２の電線収容路２３に電線４を配索した後、図１１に示すように、プロテクタ本体２上に第１のカバー３を配置して重ね合わせる。次いで、図１２に示すように、第１のカバー３上に第２のカバー６を配置して重ね合わせた後、図１３に示すように、第２のカバー６上に第３のカバー７を配置して重ね合わせる。このようにしてプロテクタ本体２と第１〜第３のカバー３、６、７を組み付けた状態では、図１４に示すように、互いのフランジ部２４，３４、６４、７４が重なり合って配置されるので、これらの重なり合ったフランジ部２４，３４、６４、７４の貫通穴２５，３５、６５、７５に締結部品（図示せず）を挿入して固定部材（図示せず）に固定する。
【００３４】
以上説明したように、本実施形態では、プロテクタ本体２の電線収容路２３に電線４を容易に配索でき、同様に、第１のカバー３の電線収容路３３、及び第２のカバー６の電線収容路６３にも電線４を容易に配索できるので、電線４の配索作業性の向上を図ることができる。
【００３５】
この第２実施形態では、第１のカバー３の組み込み時と同様に、第２のカバー６の組み込み時にも電線４の損傷を防止できるので、電線４の品質向上を図ることができる。
【００３６】
さらに、この第２実施形態では、階層別サブワイヤの区分に応じて、順次積層されるプロテクタ本体２、第１のカバー３及び第２のカバー６に配索されるので、システム別（ボディー系、パワートレイン系、シャシー系、情報系、安全系など）、機能別（電源、アース、大容量、小容量、信号など）、及び追加オプション別と様々な電線組み合わせパターンに対応可能であり、階層別サブワイヤによるサブワイヤの標準化を図ることができる。例えば、機能別の階層別サブワイヤの区分に従って、大電流の電線と小容量の電線とを分けて配索することにより、大電流の電線に大電流が放出された場合であっても、小容量の電線が電磁ノイズの影響を受けることを緩和できる。
【００３７】
（第３実施形態）
図１５〜図１９は本発明の第３実施形態を示す。前述の第１実施形態に対して、第３実施形態のワイヤハーネス用プロテクタの大きく異なる点は、プロテクタ本体２が、下方（図１８の上方）に突出し、且つ、径方向に突出可能な筒状の突起部９１と、突起部９１内に上方より挿入されるクリップ９２とを備えたことにある。尚、第３実施形態において第１実施形態及び第２実施形態と同様の構成には同一符号が付されている。
【００３８】
突起部９１の内部には、図１６〜図１８に示すように、先端側の小径穴９１ａと、この小径穴９１ａに連通する大径穴９１ｂとが軸方向に沿って設けられている。また、突起部９１には、先端側の小径穴９１ａから軸方向に沿って延びるとともに、先端側から見て十字形に形成されるスリット９１ｃと、この十字形のスリット９１ｃにより区分され、軸方向に延びて径方向に突出可能な４つの弾性片９１ｄとが設けられている。
【００３９】
クリップ９２は、図１５に示すように、突起部９１の軸方向に延びる軸部９３を有し、この軸部９３の両端には、円錐状の突部９４と円板状の天板９５とが設けられる。軸部９３の先端側には、軸部９３より外径方向に突出し、軸方向に延びる第１係止部９６が設けられ、軸部９３の後端側には、軸部９３より外径方向に大きく突出し、軸方向に延びる第２係止部９７が設けられている。また、クリップ９２は、挿入位置が仮係止位置では突起部９１を径方向に押圧せずに仮係止され、挿入位置が位置では突起部９１を径方向に押圧する。
【００４０】
上記構成では、図１９に示す手順に従ってプロテクタ本体２を車体８に固定する。すなわち、図１９（ａ）に示すように、プロテクタ本体２の表面側から突起部９１の大径穴９１ｂにクリップ９２の突部９４を挿入し、図１９（ｂ）に示すように、クリップ９２を押込んで突部９４をプロテクタ本体２の突起部９１の先端より突出させる。このとき、クリップ９２の第１係止部９６が突起部９１の小径穴９１ａ縁部に係合するので、クリップ９がプロテクタ本体２に仮固定（仮係止）される。
【００４１】
次いで、図１９（ｃ）に示すように、仮固定したクリップ９とともにプロテクタ本体２を車体８の嵌合穴８１に挿入してプロテクタ本体２の搭載位置を決めた後、図１９（ｄ）に示すように、天板９５がプロテクタ本体２の表面に当接するまでクリップ９をさらに挿入して、プロテクタ本体２の突起部９１を車体８の嵌合穴８１に嵌合させる。このとき、クリップ９２の第２係止部９７が突起部９１の小径穴９１ａ縁部に係合し、突起部９１の弾性片９１ｃが径方向に押圧されるので、クリップ９２の第２係止部９７が外周から挟圧保持されるとともに、突起部９１が車体８の嵌合穴８１に強固に嵌合される。その結果、プロテクタ本体２が車体８に固定（本係止）される。
【００４２】
以上説明したように、本実施形態では、プロテクタ本体２を車体８に固定する際に、プロテクタ本体２に一体に形成される筒状の突起部９１と、この突起部９１に仮止めされるクリップ９２とを用いるので、作業者が手で上記締結部品を保持する必要がなく、また、クリップ９２を突起部９１に挿入することによりプロテクタ本体２の位置決めを容易に行なえるので、当該プロテクタの車両への組付性の向上を図ることができる。
【００４３】
尚、上記第３実施形態では、プロテクタ本体２と一体に突起部９１を形成する場合を例示したが、本発明はこれに限定されず、プロテクタ本体の上部に重ね合わされるカバーに一体に突起部を形成し、この突起部を他のカバー及びプロテクタ本体を貫通させて車体の嵌合穴に嵌合させることもできる。これにより、プロテクタ本体及び他のカバーを互いに連結することができる。
【００４４】
また、上記第３実施形態では、車体８に突起部９１が嵌合する嵌合穴８１を設ける場合を例示したが、本発明はこれに限定されず、車体の代わりに他の固定部材、例えば鉄製ブラケットに突起部を嵌合させることもできる。
【符号の説明】
【００４５】
１，１Ａ  ワイヤハーネス用プロテクタ
２  プロテクタ本体
３  カバー，第１のカバー
４  電線
６  第２のカバー
２１  底壁部
２２  側壁部
２２ａ，３２ａ，６２ａ  内面
２３，３３，６３  電線収容路
２４，３４，６４  フランジ部
２５，３５，６５  貫通穴
３０  カバー本体部
３１，６１  カバー上壁部
３２，６２  カバー側壁部
９１  突起部
９２  クリップ
【図１】
2013162642.tif 000003
【図２】
2013162642.tif 000004
【図３】
2013162642.tif 000005
【図４】
2013162642.tif 000006
【図５】
2013162642.tif 000007
【図６】
2013162642.tif 000008
【図７】
2013162642.tif 000009
【図８】
2013162642.tif 000010
【図９】
2013162642.tif 000011
【図１０】
2013162642.tif 000012
【図１１】
2013162642.tif 000013
【図１２】
2013162642.tif 000014
【図１３】
2013162642.tif 000015
【図１４】
2013162642.tif 000016
【図１５】
2013162642.tif 000017
【図１６】
2013162642.tif 000018
【図１７】
2013162642.tif 000019
【図１８】
2013162642.tif 000020
【図１９】
2013162642.tif 000021
【図２０】
2013162642.tif 000022
【図２１】
2013162642.tif 000023